(57)【要約】【課題】活線挿抜中の保守員の操作ミスによって、システムに重大な影響を与えるのを防止する【解決手段】副電子装置１５１〜１５５毎に対応づけられた接続状態表示装置１０２、活線挿抜表示装置１０３、それぞれに設けられたＬＥＤ及びスイッチを設け、副電子装置１５１〜１５５を活線挿抜する際、接続状態をＬＥＤで確認した後スイッチを押して挿抜を行う。また、スイッチを押すことで活線挿抜表示装置１０３は当該副電子装置が活線挿抜状態に設定されるため、その後、他の保守員が当該副電子装置の接続処理を行っても、活線挿抜状態が解除されるまでは接続処理が拒絶されるので、保守員が誤って接続状態とされた副電子装置を挿抜することによる情報処理装置への悪影響を防止することができる。【選択図】　　　図２
2004094693.tif 000002
【特許請求の範囲】
【請求項１】
主電子装置の指示により複数の副電子装置を制御する電子装置において、
前記副電子装置毎の活線挿抜中か否かの状態情報を保持する活線挿抜表示装置と、前記副電子装置毎に接続中か切断中かの状態情報を保持する接続状態表示装置と、前記副電子装置毎に活線挿抜開始及び終了の割り込みを通知するスイッチと、前記活栓挿抜表示装置及び接続状態表示装置から前記副電子装置毎の状態情報を読み出し、副電子装置の接続処理、切断処理及び活線挿抜処理を行う制御装置とを有することを特徴とする電子装置。
【請求項２】
前記制御部は、前記副電子装置毎に、前記主電子装置から切断要求又は接続要求があると切断処理又は接続処理を行い、前記スイッチから割り込みが通知されると活線挿抜処理を行うことを特徴とする請求項１記載の電子装置。
【請求項３】
前記制御装置は、前記主電子装置から所定の副電子装置の切断要求を受けると、切断処理を作動させ、当該副電子装置の活線挿抜状態を前記活線挿抜表示装置から読み出して確認し、活線挿抜中の場合は、切断拒絶を前記主電子装置に通知して切断処理を終了させ、活線挿抜中ではない場合は、前記接続状態表示装置の当該副電子装置に対応する状態情報を切断中に設定し、前記主電子装置からの当該副電子装置への利用を不可にし、前記主電子装置に切断成功を通知する処理を行うことを特徴とする請求項１又は２に記載の電子装置。
【請求項４】
前記制御装置は、所定の副電子装置に対応した前記スイッチが押されて割り込みが通知されると、活線挿抜処理を作動させ、当該副電子装置の接続状態を前記接続状態表示装置から読み出して確認し、接続中の場合は、そのまま活線挿抜処理を終了させ、切断中の場合は、当該副電子装置の活線挿抜状態を前記活線挿抜表示装置から読み出して確認し、活線挿抜中の場合は、当該活線挿抜状態表示装置の当該副電子装置に対応する状態情報を活線挿抜中ではない状態に設定し、活線挿抜中ではない場合は、当該活線挿抜状態表示装置の当該副電子装置に対応する状態情報を活線挿抜中の状態に設定することを特徴とする請求項１又は２に記載の電子装置。
【請求項５】
前記制御装置は、前記主電子装置から所定の副電子装置の接続要求を受けると、接続処理を作動させ、当該副電子装置の活線挿抜状態を前記活線挿抜表示装置から読み出して確認し、活線挿抜中の場合は、接続拒絶を前記主電子装置に通知して接続処理を終了させ、活線挿抜中ではない場合は、前記接続状態表示装置の当該副電子装置に対応する状態情報を接続中に設定し、前記主電子装置からの当該副電子装置への利用を可能にし、前記主電子装置に接続成功を通知する処理を行うことを特徴とする請求項１又は２に記載の電子装置。
【請求項６】
前記活線挿抜状態表示装置は、前記副電子装置毎に当該副電子装置の活線挿抜状態を表示する表示器を有することを特徴とする請求項１又は２に記載の電子装置。
【請求項７】
前記接続状態表示装置は、前記副電子装置毎に当該副電子装置の接続状態を表示する表示器を有することを特徴とする請求項１又は２に記載の電子装置。
【発明の詳細な説明】
【０００１】
【発明の属する技術分野】
本発明は、複数の副電子装置を実装する電子装置における活線挿抜制御に関する。
【０００２】
【従来の技術】
従来、電子装置に実装された複数の副電子装置の活線挿抜を行う技術としては、特開平１−２６３８１０号公報、特開平８−１７２２８３号公報又は特開平９−１６２９７号公報に開示されているものが知られている。
【０００３】
特開平１−２６３８１０号公報及び特開平８−１７２２８３号公報には、活線状態で電子装置にチャタリング等のノイズを乗せることなく副電子装置を活線挿抜する技術が記載されており、特開平９−１６２９７号公報には、活線挿抜可能か不可能かを表示することで、動作中の論理パッケージを挿抜するという保守員の人為的ミスを防止する技術が記載されている。
【０００４】
【発明が解決しようとする課題】
しかし、保守員がある副電子装置に対して活線挿抜作業を行っているときに、当該副電子装置を他の保守員が操作装置より接続操作をすることが考えられる。かかる場合、交換作業を行っている保守員はそれを知らずに、副電子装置が主電子装置からアクセスされている最中に挿抜を行い、一方で、活線挿抜中の副電子装置は接続状態になっているため、主電子装置は副電子装置に電気的なアクセスを行ってしまい、情報処理装置の運用に重大な影響を与える可能性が有る。
【０００５】
特に、１の操作装置を複数人が共有して使用する場合は、同一の装置から操作するため、ある保守員が活線挿抜するために操作装置から所望の副電子装置の切断処理を行い、当該副電子装置を挿抜しに操作装置から離れた後に、他の保守員が誤って同一の操作装置から当該副電子装置の接続処理を行うことが考えられ、上記問題はより深刻なものとなる。
【０００６】
そこで本発明はかかる問題に鑑み、保守員が副電子装置の活線挿抜作業中に、他の保守員が活線挿抜対象である副電子装置への接続操作を拒否することで、保守員が接続状態のまま副電子装置を挿抜して情報処理装置に重大な影響を与えることを防止する機能をもつ電子装置を提供することを目的とする。
【０００７】
【課題を解決するための手段】
そこで本発明にかかる電子装置は、
【作用】
これらの特徴を持った電子装置により、保守員が電子装置に接続された副電子装置を活線挿抜する際、操作装置により所望の副電子装置を切断状態にし、接続状態を表示する表示器で切断状態になったことを確認したのち、対応するスイッチを押し、活線挿抜状態を表示する表示器が点灯してから活線挿抜作業を行うことにより、他の保守員が誤って活線挿抜中の副電子装置を操作装置より接続操作を行っても、対応する活線挿抜表示装置が活線挿抜処理により活線挿抜状態になっているため、接続処理では主電子装置より利用可能にする処理は行わずに接続拒絶を主電子装置に通知するため、主電子装置に接続されることはなく、他の保守員が活線挿抜中の副電子装置を接続状態にすることはできないため、保守員が他の保守員によって、主電子装置に接続されてしまった副電子装置を挿抜すること防ぎ、情報処理装置に悪影響を与えることを防ぐことができる。
【０００８】
【発明の実施の形態】
次に本発明にかかる実施の形態について、図面を参照して説明する。
【０００９】
図１は本発明の電子装置を含む情報処理装置を示したブロック図である。
【００１０】
図に示す情報処理装置は、複数の活線挿抜可能な副電子装置１５１〜１５５（本実施例では５個の副電子装置を例として説明する。）を実装した主電子装置３、電子装置１００及び操作装置１がバス２、４によって接続されている。
【００１１】
電子装置を詳細に説明すると、図２〜図５に示すように、各種制御を行う制御装置１０１と、制御装置１０１にバス１１０を介して接続される５個の活線挿抜可能な副電子装置１５１〜１５５と、副電子装置１５１〜１５５毎に対応して設けられ、制御装置１０１への割り込み線１２０に接続されるスイッチ１２１〜１２５と、副電子装置１５１〜１５５毎の接続、切断状態情報を保持する接続状態表示装置１０２と、接続状態表示装置１０２の指示により副電子装置１５１〜１５５毎に接続、切断状態を表示するＬＥＤ１３１〜１３５と、副電子装置１５１〜１５５毎の活線挿抜状態情報を保持する活線挿抜表示装置１０３と、活線挿抜表示装置１０３の指示により副電子装置１５１〜１５５毎に活線挿抜中か否かを表示するＬＥＤ１４１〜１４５とを備えている。
【００１２】
接続状態表示装置１０２は更に、図４に示すように、接続される副電子装置１５１〜１５５に対応した５ビットのレジスタ１０６を備えており、このレジスタ１０６の各ビット０〜４に副電子装置１５１〜１５４の接続状態（接続中・切断中）情報を対応させて保持している。ビットが０の時は対応する副電子装置が切断状態を示し、ビットが１の時は対応する副電子装置が接続状態を示すものとする。一方、副電子装置１５１〜１５５に対応したＬＥＤ１３１〜１３５は０ＶのＧＮＤ信号に接続されており、接続状態表示装置１０２からは、レジスタ１０６の各ビットの値が１の時は＋５Ｖを、０の時は０Ｖをバス１３０に出力する。なお、制御装置１０１は、バス１０４を介してレジスタ１０６の各ビットの値を読み出し、設定可能となる。
【００１３】
活線挿抜表示装置１０３は、上述の接続状態表示装置１０２と同様に、図５に示すように、接続される副電子装置１５１〜１５５に対応した５ビットのレジスタ１０７を備えており、このレジスタ１０７の各ビット０〜４に副電子装置１５１〜１５４の活線挿抜状態（活線挿抜中・活線挿抜中ではない）情報を対応させて保持している。ビットが０の時は対応する副電子装置は活線挿抜中ではないことを示し、ビットが１の時は対応する副電子装置は活線挿抜中を示すものとする。一方、副電子装置１５１〜１５５に対応したＬＥＤ１４１〜１４５は０ＶのＧＮＤ信号に接続されており、活線挿抜状態表示装置１０３からは、レジスタ１０７の各ビットの値が１の時は＋５Ｖを、０の時は０Ｖをバス１４０に出力する。なお、制御装置１０１は、バス１０５を介してレジスタ１０７の各ビットの値を読み出し、設定可能となる。
【００１４】
なお、制御装置１０１は、接続状態表示装置１０２及び活線挿抜状態表示装置１０３に保持された各状態表示情報を参照して、主電子装置３からの切断要求及び接続要求により切断処理及び接続処理を行い、スイッチ１２１〜１２５からの割り込み通知により活線挿抜処理を行う。
【００１５】
次に、本発明の動作について説明する。
【００１６】
副電子装置１５１が障害等により活線挿抜を行う場合について説明する。
【００１７】
まず、保守員は操作端末１から活線挿抜を行う副電子装置１５１の切断操作を行う。この切断操作により主電子装置３は電子装置１００の制御装置１０１に対して切断要求を通知し、制御装置１０１は所定の手順に従い切断処理を行う。
【００１８】
切断処理は、図７に示すように、活線挿抜表示装置１０３のレジスタ１０７から副電子装置１５１に対応するビットの値を読み出し（２１１）、値が１で活線挿抜中の場合は切断拒絶を主電子装置３に通知し（２１５）、切断処理を終了する。値が０で活線挿抜中でない場合は、副電子装置１５１に対応する接続状態表示装置１０２のレジスタ１０６のビットに切断中の０を設定してＬＥＤ１３１を消灯させ（２１２）、主電子装置３からの利用を不可とする処理を行い（２１３）、主電子装置３に切断成功を通知する（２１４）。
【００１９】
ここで、レジスタ１０７の値が１で活線挿抜中の場合とは、本保守員が切断操作を行う前に、他の保守員が活線挿抜等を行うために既に切断操作を行い、活線挿抜処理を行っている場合を示している。
【００２０】
そして、保守員は副電子装置１５１の設置場所に向かい、ＬＥＤ１３１が消灯しているのを確認した後、スイッチ１２１を押す。
【００２１】
スイッチ１２１が押されると割り込み線１２０を介して制御装置１０１に割り込みが通知され、制御装置１０１は所定の手順に従い活線挿抜処理を行う。
【００２２】
このフェーズの活線挿抜処理は、図８に示すように、接続状態表示装置１０２のレジスタ１０６から副電子装置１５１に対応するビットの値を読み出し（２２１）、値が１で接続中の場合は何もしないで活線挿抜処理を行う。値が０で切断中の場合は、活線挿抜表示装置１０３のレジスタ１０７から副電子装置１５１に対応するビットの値を読み出し（２２２）、値が０で活線挿抜中ではない場合は、副電子装置１５１に対応する活線挿抜表示装置１０３のレジスタ１０７のビットに活線挿抜中の１を設定してＬＥＤ１３１を消灯させる（２２３）。値が１で活線挿抜中の場合は、副電子装置１５１に対応する活線挿抜表示装置１０３のレジスタ１０７のビットに活線挿抜中ではない０を設定する（２２５）。
【００２３】
なお、このフェーズでは、副電子装置１５１に対応する活線挿抜表示装置１０３のレジスタ１０７のビットには０が保持されているため、前者（２２３）のフローが行われる。１が保持されているのは後述するフェーズの場合である。
【００２４】
そして、保守員は、ＬＥＤ１４１が点灯したのを確認した後、副電子装置１５１の挿抜を行い、挿抜が完了するとスイッチ１２１を押す。
【００２５】
スイッチ１２１が押されると割り込み線１２０を介して制御装置１０１に割り込みが通知され、制御装置１０１は所定の手順に従い活線挿抜処理を行う。
【００２６】
このフェーズの活線挿抜処理は、図８に示すように、接続状態表示装置１０２のレジスタ１０６から副電子装置１５１に対応するビットの値を読み出し（２２１）、値が１で接続中の場合は何もしないで活線挿抜処理を行う。値が０で切断中の場合は、活線挿抜表示装置１０３のレジスタ１０７から副電子装置１５１に対応するビットの値を読み出す（２２２）。このフェーズでは上記フェーズと異なり、値が１で活線挿抜中であるため、副電子装置１５１に対応する活線挿抜表示装置１０３のレジスタ１０７のビットに活線挿抜中ではない０を設定する（２２５）。
【００２７】
その後、保守員は操作端末１に戻り、操作端末１から副電子装置１５１の接続操作を行う。この接続操作により主電子装置３は電子装置１００の制御装置１０１に対して接続要求を通知し、制御装置１０１は所定の手順に従い接続処理を行う。
【００２８】
接続処理は、図９に示すように、活線挿抜表示装置１０３のレジスタ１０７から副電子装置１５１に対応するビットの値を読み出し（２０１）、値が１で活線挿抜中の場合は接続拒絶を主電子装置３に通知し（２０５）、接続処理を終了する。値が０で活線挿抜中でない場合は、副電子装置１５１に対応する接続状態表示装置１０２のレジスタ１０６のビットに接続中の１を設定してＬＥＤ１３１を点灯させ（２０２）、主電子装置３からの利用を可能とする処理を行い（２０３）、主電子装置３に接続成功を通知する（２０４）。
【００２９】
ここで、レジスタ１０７の値が０で活線挿抜中の場合とは、本保守員が活線挿抜処理を行っている際に、他の保守員が誤って切断されている副電子装置１５１の接続処理を行う場合を示している。
【００３０】
なお、これらの切断処理、活線挿抜処理及び接続処理は、図６に示すように、例えば、制御装置１０１に内蔵されたファームウェア１０９と処理部１０８によって実現することができ、このファームウェア１０９の代わりに電子回路で実現しても良い。
【００３１】
【発明の効果】
以上説明したように本発明によれば、情報処理装置において保守員が電子装置１００に接続された副電子装置１５１〜１５５を活線挿抜する際、副電子装置１５１〜１５５の切断状態を表示するＬＥＤ１３１〜１３５で切断状態になったことを確認した後、対応するスイッチ１２１〜１２５を押して活線挿抜状態を表示するＬＥＤ１４１〜１４５が点灯してから活線挿抜作業を行うことにより、他の保守員が誤って活線挿抜中の副電子装置１５１〜１５５に対して操作装置１から接続操作を行ったとしても、活線挿抜表示装置１０３では活線挿抜処理により対応する副電子装置１５１〜１５５が活線挿抜状態になっているため、この接続処理により接続状態となることを防止でき、同様に、他の保守員によって主電子装置３に接続された副電子装置１５１〜１５５を挿抜することも防止でき、情報処理装置に悪影響を与えることを防止することができる。
【００３２】
つまり、本発明によれば、切断状態を表示するＬＥＤを確認した後に活線挿抜を行うスイッチを押すことにより、他の保守員が誤って接続処理を行っても本保守員は接続されたことを認識することができ、本保守員がスイッチを押して活線挿抜処理が行われると操作端末からの接続操作は拒絶されるため、接続されている副電子装置を挿抜することを完全に防止することができる。
【図面の簡単な説明】
【図１】本発明の電子装置を含む情報処理装置を示したブロック図。
【図２】本発明の電子装置を示したブロック図。
【図３】電子装置における制御装置、スイッチ及び割り込み線との接続図。
【図４】電子装置における制御装置、接続状態表示装置、表示器及び接続状態表示装置のレジスタの接続図。
【図５】電子装置における制御装置、活線挿抜表示装置、表示器及び活線挿抜表示装置のレジスタの接続図。
【図６】制御装置内の制御つとファームウェアの構造を示したブロック図。
【図７】切断処理を示した動作フロー。
【図８】活線挿抜処理を示した動作フロー。
【図９】接続処理を示した動作フロー。
【符号の説明】
１　操作装置
２，４，１０４，１０５，１１０，１３０，１４０　バス
３　主電子装置
１００　電子装置
１０１　制御装置
１０２　接続状態表示装置
１０３　活線挿抜表示装置
１０６，１０７　レジスタ
１０８　処理部
１０９　ファームウェア
１２１〜１２５　スイッチ
１３１〜１３５　ＬＥＤ
１４１〜１４５　ＬＥＤ
１５１〜１５５　副電子装置
【図１】
2004094693.tif 000003
【図２】
2004094693.tif 000004
【図３】
2004094693.tif 000005
【図４】
2004094693.tif 000006
【図５】
2004094693.tif 000007
【図６】
2004094693.tif 000008
【図７】
2004094693.tif 000009
【図８】
2004094693.tif 000010
【図９】
2004094693.tif 000011
【手続補正書】
【提出日】平成14年9月17日(2002.9.17)
【手続補正１】
【補正対象書類名】明細書
【補正対象項目名】請求項１
【補正方法】変更
【補正の内容】
【請求項１】
主電子装置の指示により複数の副電子装置を制御する電子装置において、
前記副電子装置毎の活線挿抜中か否かの状態情報を保持する活線挿抜表示装置と、前記副電子装置毎に接続中か切断中かの状態情報を保持する接続状態表示装置と、前記副電子装置毎に活線挿抜開始及び終了の割り込みを通知するスイッチと、前記活線挿抜表示装置及び接続状態表示装置から前記副電子装置毎の状態情報を読み出し、副電子装置の接続処理、切断処理及び活線挿抜処理を行う制御装置とを有することを特徴とする電子装置。
【手続補正２】
【補正対象書類名】図面
【補正対象項目名】図９
【補正方法】変更
【補正の内容】
【図９】
2004094693.tif 000012